(57)【要約】【課題】ノズル支持プレートのノズルを、ほぼ長方形の移動軌跡に沿って格段に高い旋回速度で作動させることが可能な構成を備えた巻線装置を提供する。【解決手段】線材を先端から繰り出すノズル２３が取り付けられて保持体１９，２０に任意の方向に移動可能に保持されたノズル支持プレート１８に、互いに直交するＸ方向およびＹ方向にそれぞれ延びる長孔状のＹ方向受動用ガイド孔２１およびＸ方向受動用ガイド孔２２を少なくとも計３個形成する。Ｘ方向駆動部５およびＹ方向駆動部６はそれぞれ、Ｘ方向受動用ガイド孔２２およびＹ方向受動用ガイド孔２１に摺接自在に挿通されたＸ方向作動軸１６およびＹ方向作動軸１７に対して、ノズル支持プレート１８を介してノズル２３をほぼ長方形の軌跡で旋回移動させる所定のタイミングでＸ方向およびＹ方向に向け所定の距離だけ移動させる作動制御を行う。【選択図】　　　　　　　図１
2004072923.tif 000002
【特許請求の範囲】
【請求項１】
線材を先端から繰り出すノズルと、
前記ノズルが取り付けられて、互いに直交するＸ方向およびＹ方向にそれぞれ延びる長孔状のＹ方向受動用ガイド孔およびＸ方向受動用ガイド孔が少なくとも計３個形成されたノズル支持プレートと、
前記ノズル支持プレートをＸ方向およびＹ方向の任意の方向に移動可能に保持する保持体と、
前記Ｘ方向受動用ガイド孔およびＹ方向受動用ガイド孔にそれぞれ摺接自在に挿通されたＸ方向作動軸およびＹ方向作動軸と、
前記Ｘ方向作動軸をＸ方向に所定のストロークで移動制御するＸ方向駆動部およびＹ方向作動軸をＹ方向に所定のストロークで移動制御するＹ方向駆動部とを備え、
前記Ｘ方向受動用ガイド孔は、前記Ｘ方向作動軸のＹ方向への移動を許容し、且つＸ方向の移動分のみを受けて前記ノズル支持プレートをＸ方向に移動させる孔形状を有するとともに、前記Ｙ方向受動用ガイド孔は、前記Ｙ方向作動軸のＸ方向の移動を許容し、且つＹ方向の移動分のみを受けて前記ノズル支持プレートをＹ方向に移動させる孔形状を有し、
前記Ｘ方向駆動部およびＹ方向駆動部はそれぞれ、前記Ｘ方向作動軸およびＹ方向作動軸に対して、前記ノズル支持プレートを介して前記ノズルをほぼ長方形の軌跡で旋回移動させる所定のタイミングでＸ方向およびＹ方向に向け所定の距離だけ移動させる作動制御を行うように構成されていることを特徴とする巻線装置。
【請求項２】
Ｘ方向駆動部およびＹ方向駆動部のうちの一方は作動軸を円形の軌跡で連続的に回転移動させ、且つ他方は作動軸をほぼ正方形の軌跡で連続的に旋回移動させるように構成されている請求項１に記載の巻線装置。
【請求項３】
Ｘ方向駆動部およびＹ方向駆動部は、作動軸をそれぞれ同一の回転数および旋回数で、且つ互いにほぼ同方向に向けて移動するよう同期して作動させるように構成されている請求項２に記載の巻線装置。
【請求項４】
Ｘ方向駆動部およびＹ方向駆動部のうちの一方は、一面に設けられた作動軸を円形の移動軌跡で、且つ一定速度で連続的に回転駆動する回転体からなり、
前記Ｘ方向駆動部および前記Ｙ方向駆動部のうちの他方は、
一定速度で回転される内歯車と、
前記内歯車に噛合されて自転しながら、前記内歯車に対しこれの軸心回りで、且つ反対方向に公転される遊星歯車と、
前記遊星歯車の軸心に対し偏心した部位に設けられた作動軸とを備え、
前記遊星歯車と前記内歯車の歯車比が１対２に設定され、且つ前記内歯車が前記遊星歯車の公転の回転速度と同一の回転速度で回転されて、前記遊星歯車の自転の回転速度が公転の回転速度の３倍に設定され、作動軸がほぼ正方形の軌跡で旋回移動される構成を有している請求項２または３に記載の巻線装置。
【請求項５】
ほぼ矩形状のノズル支持プレートに、各々２個一対のＸ方向受動用ガイド孔およびＹ方向受動用ガイド孔が、前記矩形状の対角線上の角部位置に配置して設けられている請求項１ないし４の何れかに記載の巻線装置。
【請求項６】
Ｘ方向駆動部およびＹ方向駆動部のうちの一方の回転体および他方の内歯車を備えた回転体とが、同一回転駆動源の回転力をベルト連結構造またはギャ連結構造により伝達されて、互いに同一の回転速度で回転されるようになっている請求項４または５に記載の巻線装置。
【請求項７】
Ｘ方向駆動部およびＹ方向駆動部のうちの一方は、
主回転体と、この主回転体の内部に設けられた副回転体と、前記主回転体と前記副回転体とを一体回転する結合状態と前記主回転体が前記副回転体回りに回転可能な結合解除状態とに切り換える係脱部材と、前記副回転体を回転不能状態に一時的に仮固定する固定部材と、Ｘ方向作動軸またはＹ方向作動軸が固設されて前記主回転体の径方向に延びるガイド溝に摺動自在に保持された調整ブロック体と、この調整ブロック体に突設されて前記副回転体の弧状の調整溝に摺動自在に係合されたガイドピンとを備え、
前記副回転体を固定状態に設定して前記主回転体を回転させることにより、前記ガイドピンが前記調整溝に沿いながら摺動して前記調整ブロック体を前記ガイド溝に沿って移動させるように構成されている請求項２ないし６の何れかに記載の巻線装置。
【請求項８】
主回転体が、Ｘ方向駆動部またはＹ方向駆動部の回転駆動源から回転伝達されるように構成されている請求項７に記載の巻線装置。
【発明の詳細な説明】
【０００１】
【発明の属する技術分野】
本発明は、例えば、モータにおけるステータコアのティース部に巻線を施してコイルを形成する用途などに好適に用いることができる巻線装置に関するものである。
【０００２】
【従来の技術】
モータのステータコアのティース部（内歯）に巻線を施してコイルを形成するに際しては、ガイド筒を通じて導線が挿通されたノズルをティース部の外周面に沿って旋回させながら、ノズルの先端から導出される導線をティース部の外周面に巻き付けてコイルを形成する巻線装置が一般的に採用されている。このような用途に用いられる従来の巻線装置としては、ステータコアのスロット内に配置した上記ノズルをティース部の外周面に沿って楕円形の移動軌跡を描くように旋回させることにより、ノズルの先端から繰り出される導線をティース部に巻き付ける構成となったものが知られている。
【０００３】
ところが、上記従来の巻線装置では、ノズルがティース部の外周面に沿って楕円形の軌跡を描きながら旋回移動されることから、ノズルがＵターンしながら移動方向を変換するときにティース部から離れ過ぎてしまうので、ノズルの先端から繰り出される導線にノズルの移動経路の一部で弛みが生じ易い。そのため、導線はティース部の長手方向に整列して巻き付かず、巻きむらが生じ易いという問題があった。また、ステータコアの積厚が大きくなった場合には、楕円形の移動軌跡で旋回するノズルが隣接するティース部に干渉し易くなるために、スロット内におけるコイルの占有率（スペースファクタ）を高めることが困難となる。
【０００４】
そこで、近年では、ノズルを、ティース部の断面形状に対応した間隔を存した同一長さの平行線の両端部がそれぞれ半円形のような曲線で接続されたほぼ長方形に近い形状の軌跡で旋回移動させることができる巻線装置が提案されている（特開２００１−８４１８号公報参照）。この巻線装置では、ノズルが、巻線を施すべきティース部の一側のスロット内をティース部に沿って直線的に上昇したのち、スロットの上端から出てほぼ半円形の曲線を描きながらティース部の他側のスロットまで移動し、該他側のスロット内をティース部に沿って直線的に下降したのち、そのスロットの下端から出てほぼ半円形の曲線を描きながらティース部の一側のスロットまで移動し、該スロット内をティース部に沿いながら直線的に上昇するという動作を繰り返すようになっている。
【０００５】
上記巻線装置では、ノズルがティース部の外周面に対し可及的に一定の距離を保ちながら旋回するので、巻線工程の途中で導線が弛むといったことが生じることなくティース部に巻き付けられて、導線をティース部に整列させて平均的に巻き付け易くなる。また、ノズルは、スロット内を上昇および下降する際に直線的に移動するので、隣接するティース部または該ティース部に既に巻き付けられたコイルにノズルが干渉することが防止されるから、スロット内のコイルの占有率が高くなるように巻線することが可能となる。
【０００６】
【発明が解決しようとする課題】
しかしながら、上記巻線装置では、クランク盤の回転運動をクランクアームを介してスライダの昇降動作に変換し、そのスライダに支持された駆動軸を軸方向つまり上下方向に往復運動させることにより、駆動軸の上端に取り付けられたノズル支持ブロックを上下方向に直線往復運動させるとともに、上記クランク盤に連動してカム軸を回転させ、カム曲線部とカム直線部とを有して上記カム軸と一体回転されるカムに当接するカムフォロアおよびカムスリーブを介して上記駆動軸をその往復移動の上下両端部において所定角度で水平方向に揺動させることにより、この駆動軸の上端の上記ノズル支持ブロックをガイド軸に沿って水平移動させる構成になっているため、以下のような問題がある。
【０００７】
すなわち、上記巻線装置は、一旦停止する行程を有する直線往復運動を行うことから必然的に加振力が発生する。しかも、カム軸、カムフォロアおよびカムスリーブなどからなるカム機構は、これに加わる比較的大きな負荷に対する強度を確保する必要から重量の大きなものとなるので、慣性力が大きくなって上記加振力が比較的大きなものとなる。このため、上記巻線装置では、ノズルを設けたノズル支持ブロックの旋回速度を上げるのに限界がある。
【０００８】
また、上記巻線装置では、上下方向に直線往復運動する駆動軸に平行な一対のガイド軸に沿って上下動する一対の可動ブロックを設け、ノズル支持ブロックを、上記両可動ブロックに架け渡したガイド手段に沿って移動可能に取り付けるとともに、上下方向に直線往復移動、且つ水平方向に揺動される駆動軸によってノズル支持ブロックをほぼ長方形の軌跡を描くように旋回移動させるようになっている。つまり、駆動軸は、上下方向に直線往復運動するためのガイド構造と水平方向に揺動するためのガイド構造との双方によってそれぞれ保持されており、これらのガイド構造は、駆動軸の移動に対する抵抗負荷となるので、この点からもノズルの旋回速度を上げることが困難となる。その結果、上記巻線装置では、上下方向つまりほぼ長方形の移動軌跡の長手方向のストロークを８０ｍｍ程度に設定した場合、９００ｒｐｍ〜１２００ｒｐｍ程度がノズルの旋回速度の限界となる。
【０００９】
そこで、本発明は上記従来の課題に鑑みてなされたもので、ノズル支持プレートに設けたノズルを、ほぼ長方形の移動軌跡に沿って格段に高い旋回速度で作動させることが可能な構成を備えた巻線装置を提供することを目的とするものである。
【００１０】
【課題を解決するための手段】
上記目的を達成するために、本発明に係る巻線装置は、線材を先端から繰り出すノズルと、前記ノズルが取り付けられて、互いに直交するＸ方向およびＹ方向にそれぞれ延びる長孔状のＹ方向受動用ガイド孔およびＸ方向受動用ガイド孔が少なくとも計３個形成されたノズル支持プレートと、前記ノズル支持プレートをＸ方向およびＹ方向の任意の方向に移動可能に保持する保持体と、前記Ｘ方向受動用ガイド孔およびＹ方向受動用ガイド孔にそれぞれ摺接自在に挿通されたＸ方向作動軸およびＹ方向作動軸と、前記Ｘ方向作動軸をＸ方向に所定のストロークで移動制御するＸ方向駆動部およびＹ方向作動軸をＹ方向に所定のストロークで移動制御するＹ方向駆動部とを備え、前記Ｘ方向受動用ガイド孔は、前記Ｘ方向作動軸のＹ方向への移動を許容し、且つＸ方向の移動分のみを受けて前記ノズル支持プレートをＸ方向に移動させる孔形状を有するとともに、前記Ｙ方向受動用ガイド孔は、前記Ｙ方向作動軸のＸ方向の移動を許容し、且つＹ方向の移動分のみを受けて前記ノズル支持プレートをＹ方向に移動させる孔形状を有し、前記Ｘ方向駆動部およびＹ方向駆動部はそれぞれ、前記Ｘ方向作動軸およびＹ方向作動軸に対して、前記ノズル支持プレートを介して前記ノズルをほぼ長方形の軌跡で旋回移動させる所定のタイミングでＸ方向およびＹ方向に向け所定の距離だけ移動させる作動制御を行うように構成されていることを特徴としている。
【００１１】
この巻線装置では、ノズル支持プレートを、Ｘ方向作動軸およびＹ方向作動軸によって動力伝達を受けられるように任意の方向に移動可能な状態に単に保持すればよいだけであるから、従来の巻線装置のようにＹ方向のガイド構造に関連付けてＸ方向のガイド構造を設けるものとは異なり、重量の極めて軽いガイド構造とすることができる。また、Ｘ方向駆動部およびＹ方向駆動部は、Ｘ方向作動軸およびＹ方向作動軸を各々の対応する方向に所定の距離だけ移動させるように作動制御すればよいから、例えば、単なる回転運動を連続的に行う構成を組み合わせた簡素化した構造とすることができ、従来の巻線装置のようなカム機構を用いて直線往復運動が存在する構成とは異なり、慣性力に伴う加振力が発生しない。そのため、この巻線装置では、ノズルをほぼ長方形の移動軌跡で旋回させるときの旋回速度を十分に上げることが可能となる。
【００１２】
上記発明において、Ｘ方向駆動部およびＹ方向駆動部のうちの一方は作動軸を円形の軌跡で連続的に回転移動させ、且つ他方は作動軸をほぼ正方形の軌跡で連続的に旋回移動させるように構成されていることが好ましい。
【００１３】
この構成によれば、Ｘ方向受動用ガイド孔およびＹ方向受動用ガイド孔を介して各作動軸の移動力を受けるノズル支持プレートが、回転運動とほぼ正方形の移動軌跡の旋回運動とを合成するように機能して、自体に設けられたノズルを、ほぼ正方形の移動軌跡に対応して正確な直線の移動軌跡を含むほぼ長方形の移動軌跡で旋回させることができる。
【００１４】
同上の構成において、Ｘ方向駆動部およびＹ方向駆動部は、作動軸をそれぞれ同一の回転数および旋回数で、且つ互いにほぼ同方向に向けて移動するよう同期して作動させるように構成されていることが好ましい。この構成によれば、Ｘ方向の移動とＹ方向の移動とを合成するためのタイミングがとり易くなるとともに、例えば、水平方向移動用の作動軸からノズル支持プレートへ負荷として加わる荷重点は、上下方向移動用の作動軸によって上下動されるノズル支持プレートの重心位置に近づくように作用するから、ノズル支持プレートは、強度面で有利となり、一層軽量化を図ることができる。
【００１５】
上記発明において、Ｘ方向駆動部およびＹ方向駆動部のうちの一方は、一面に設けられた作動軸を円形の移動軌跡で、且つ一定速度で連続的に回転駆動する回転体からなり、前記Ｘ方向駆動部および前記Ｙ方向駆動部のうちの他方は、一定速度で回転される内歯車と、前記内歯車に噛合されて自転しながら、前記内歯車に対しこれの軸心回りで、且つ反対方向に公転される遊星歯車と、前記遊星歯車の軸心に対し偏心した部位に設けられた作動軸とを備え、前記遊星歯車と前記内歯車の歯車比が１対２に設定され、且つ前記内歯車が前記遊星歯車の公転の回転速度と同一の回転速度で回転されて、前記遊星歯車の自転の回転速度が公転の回転速度の３倍に設定され、作動軸がほぼ正方形の軌跡で旋回移動される構成を有していることが好ましい。
【００１６】
この構成によれば、遊星歯車を自転と公転との回転バランスをとりながら連続的な回転運動を行わせるだけで作動軸をほぼ正方形の軌跡で旋回移動させることができる他方の駆動部と、作動軸が設けられて一定速度で連続的に回転する回転体を備えた一方の駆動部とを組み合わせて、ノズル支持プレートをほぼ長方形の軌跡で旋回移動させる極めて簡素化された構成とすることができるとともに、回転運動のみの組み合わせであることから、カム機構を用いる構成のような加振力の発生が一層確実に防止される。
【００１７】
上記発明において、ほぼ矩形状のノズル支持プレートに、各々２個一対のＸ方向受動用ガイド孔およびＹ方向受動用ガイド孔が、前記矩形状の対角線上の角部位置に配置して設けられていることが好ましい。この構成よれば、ノズル支持プレートに対して４個の作動軸で均等な作動力を付与することができ、ノズル支持プレートを円滑に作動させることができる。
【００１８】
上記発明において、Ｘ方向駆動部およびＹ方向駆動部のうちの一方の回転体および他方の内歯車を備えた回転体とが、同一回転駆動源の回転力をベルト連結構造またはギャ連結構造により伝達されて、互いに同一の回転速度で回転されるようになっていることが好ましい。この構成によれば、構造を一層簡素化できるのに加えて、２種の駆動部を正確に連動させることができるとともに、Ｙ方向作動軸とＸ方向作動軸との相対位置の位置決め設定が容易となる利点がある。
【００１９】
上記発明において、Ｘ方向駆動部およびＹ方向駆動部のうちの一方は、主回転体と、この主回転体の内部に設けられた副回転体と、前記主回転体と前記副回転体とを一体回転する結合状態と前記主回転体が前記副回転体回りに回転可能な結合解除状態とに切り換える係脱部材と、前記副回転体を回転不能状態に一時的に仮固定する固定部材と、Ｘ方向作動軸またはＹ方向作動軸が固設されて前記主回転体の径方向に延びるガイド溝に摺動自在に保持された調整ブロック体と、この調整ブロック体に突設されて前記副回転体の弧状の調整溝に摺動自在に係合されたガイドピンとを備え、前記副回転体を固定状態に設定して前記主回転体を回転させることにより、前記ガイドピンが前記調整溝に沿いながら摺動して前記調整ブロック体を前記ガイド溝に沿って移動させるように構成されていることが好ましい。
【００２０】
この構成によれば、例えば、一直線上に配設した複数のねじ孔の何れかに択一的に螺合する手段で作動軸の位置を変更する構成などに比較して、主回転体を設定した回転角度だけ回転させることにより、作動軸の回転半径の可変を無段階に調整することができ、Ｘ方向またはＹ方向のストロークを、例えば、製造すべきステータコアのティース部の断面形状に正確に対応した適正値に設定することができる。しかも、作動軸の位置変更は、主回転体を所望の回転角度だけ回転させるだけでよいので、容易、且つ迅速に行うことができる。
【００２１】
同上の構成において、主回転体が、Ｘ方向駆動部またはＹ方向駆動部の回転駆動源から回転伝達されるように構成されていることが好ましい。この構成によれば、作動軸の位置変更を、駆動部の回転駆動源としての例えばサーボモータなどを利用して行うので、専用の駆動源を別途必要としない。
【００２２】
【発明の実施の形態】
以下、本発明の好ましい実施の形態について図面を参照しながら説明する。図１は、本発明の第１の実施の形態に係る巻線装置を示す一部除外した概略正面図、図２は図１のＥ−Ｅ線断面図、図３は図１のＦ−Ｆ線断面図をそれぞれ示す。この実施の形態では、モータ用ステータコアに巻線を施してコイルを形成する用途に用いる巻線装置を例示してある。なお、この実施の形態では、説明の便宜上、図１に示すように上下方向をＹ方向とし、水平方向をＸ方向として説明することにする。
【００２３】
この巻線装置の被作動体となるノズル支持プレート１８は、図１に２点鎖線で示すように、ほぼ長方形の平板状の形状を有し、その中央部に、複数個（この実施の形態では３個の場合を例示）のノズル２３がＸ方向に沿って所定の等間隔、つまり図３のステータコア２４のティース部３０の間隔に対応する等間隔に配設されている。ノズル２３は、モータ用ステータコア２４にコイルを形成するための巻線装置に一般的に用いられている周知のものであって、図示を省略した導線リールから供給される導線を、図３のノズル支持プレート１８の導入孔２５から挿入されて、先端から繰り出す構成になっている。
【００２４】
また、ノズル支持プレート１８には、そのほぼ長方形の対角線上で対向する各二つの角部にそれぞれ、Ｘ方向に延びる長孔状の一対のＹ方向受動用ガイド孔２１とＹ方向に延びる長孔状の一対のＸ方向受動用ガイド孔２２が穿設されている。上記ノズル支持プレート１８は、一対の保持体１９，２０によってＸ方向およびＹ方向の何れの方向にも任意に移動可能に保持されている。
【００２５】
上記一対のＸ方向受動用ガイド孔２２には、一対のＸ方向駆動部５に設けられたＸ方向作動軸１６がそれぞれ摺接自在に挿通され、上記一対のＹ方向受動用ガイド孔２１には、一対のＹ方向駆動部６に設けられたＹ方向作動軸１７がそれぞれ摺接自在に挿通されている。この実施の形態において、Ｘ方向駆動部５はＸ方向作動軸１６をほぼ正方形の軌跡で連続的に旋回移動させる構成になっており、Ｙ方向駆動部６は、Ｙ方向作動軸１７を円形の移動軌跡で連続的に回転運動させる構成になっている。これの詳細については後述する。
【００２６】
上記Ｘ方向受動用ガイド孔２２は、ほぼ正方形の軌跡で連続的に旋回移動されるＸ方向作動軸１６のＹ方向への移動を許容し、且つＸ方向の移動分のみを受けてノズル支持プレート１８をＸ方向に移動させることのできる長孔形状に形成されている。上記Ｙ方向受動用ガイド孔２１は、円形の移動軌跡で連続的に回転運動されるＹ方向作動軸１７のＸ方向の移動を許容し、且つＹ方向の移動分のみを受けてノズル支持プレート１８をＹ方向に移動させることのできる長孔形状に形成されている。
【００２７】
上記一対のＹ方向駆動部６は、駆動歯車４を備え、この駆動歯車４が、図２に示すように、回転駆動源（図示せず）の回転をベルト８、駆動プーリ９および歯車軸１０を介して伝達されることにより、図１の矢印方向に一定速度で連続的に回転される構成になっている。上記Ｙ方向作動軸１７は、駆動歯車４の周端近傍箇所に設けられている。
【００２８】
一方、上記一対のＸ方向駆動部５は、外歯車２と内歯車３とを有する円筒状の歯車体１と、内歯車３に噛み合った遊星歯車７とを備え、歯車体１が、外歯車２に噛み合った駆動歯車４によって図１の矢印方向に回転駆動されるとともに、遊星歯車７が、図２に示すように、駆動源（図示せず）の回転がベルト１１、駆動プーリ１２および歯車軸１３を介して伝達されることにより、内歯車３に噛み合って図１の矢印方向に自転しながら、内歯車３の回転方向とは逆方向に連続的に公転されるようになっている。
【００２９】
図２に示すように、遊星歯車７における軸心ｃ２から所定距離だけ偏位した部位には、Ｘ方向作動軸１６が固設されており、このＸ方向作動軸１６の遊星歯車７の軸心ｃ２に対する偏心距離Ｒ２　は、内歯車３の軸心ｃ１と遊星歯車７の軸心ｃ２との間隔（つまり遊星歯車７の公転の回転半径）をＲ１　としたとき、この実施の形態において、Ｒ２　＝（１／８〜１／９）×Ｒ１　に設定されている。これについての詳細は後述する。
【００３０】
Ｘ方向駆動部５では、遊星歯車７の自転の回転速度を公転の回転速度に対し３倍になるように設定することにより、Ｘ方向作動軸１６をほぼ正方形の軌跡で旋回運動させるように構成されている。また、遊星歯車７は、駆動プーリ１２によって一定の回転速度で公転されるが、この公転時における自転の回転速度は、公転方向とは逆方向に回転される内歯車３によって加速されている。これにより、この実施の形態では、遊星歯車７と内歯車３の歯車比を１対２に設定し、且つ遊星歯車７の公転の回転速度と内歯車３の回転速度を同一に設定して、遊星歯車７の自転の回転速度が公転の回転速度に対し３倍になるように設定している。これについての詳細は後述する。なお、駆動歯車４と外歯車２との歯車比は１対１に設定されて、外歯車２は駆動歯車４と同一の回転速度で回転される。
【００３１】
つぎに、Ｘ方向駆動部５を上述のように設定して構成した根拠について説明する。本件発明者は、鋭意研究を重ねた結果、遊星歯車７を自転の回転速度が公転の回転速度の３倍になるように設定して作動させれば、遊星歯車７の軸心ｃ２から上記距離Ｒ２　だけ偏心した部位に設けたＸ方向作動軸１６がほぼ正方形の軌跡で旋回移動することを突き止めた。その場合、仮に、内歯車３を固定し、この内歯車３に噛み合った遊星歯車７を自転させながら公転させる構成とする場合には、内歯車３と遊星歯車７との歯車比を４対１に設定すれば、遊星歯車７の自転の回転速度が公転の回転速度に対し３倍となり、Ｘ方向作動軸１６をほぼ正方形の軌跡で旋回移動させることができる。
【００３２】
ところが、上記の歯車比に設定する場合には、Ｘ方向作動軸１６を設けるための遊星歯車７の径が小さくなり過ぎて遊星歯車７の剛性が低くなり、Ｘ方向作動軸１６によって被作動体であるノズル支持プレート１８を安定に作動させることのできる強度を十分に確保できない。一方、遊星歯車７を所要の強度を確保できる大きな径に設定した場合には、内歯車３を、遊星歯車７の比較的大きな径の４倍の径に設定しなければならないので、内歯車３の径が大きくなり過ぎてしまう。
【００３３】
そこで、上記実施の形態では、遊星歯車７を所要の強度が確保できる比較的大きな径に設定しながらも、内歯車３の径も大きくなり過ぎないでＸ方向作動軸１６をほぼ正方形の軌跡で旋回移動させるために、内歯車３を、遊星歯車７の公転方向と逆方向に、且つ公転の回転速度と同一の回転速度で回転させることにより、遊星歯車７の自転の回転速度を公転の回転速度の３倍になるように加速させている。このような設定とすることにより、上述した内歯車３を固定し、且つ内歯車３と遊星歯車７との歯車比を１対４に設定した場合と同等の作動状態を疑似的に作り出している。
【００３４】
その場合、駆動歯車４の歯数をＺ１　、外歯車２の歯数をＺ２　、内歯車３の歯数をＺ３　、遊星歯車７の歯数をＺ４　とすると、遊星歯車７の自転の回転速度を公転の回転速度の３倍になるように設定するためには、Ｚ２　／Ｚ１　＝〔４−（Ｚ３　／Ｚ４　）〕／（Ｚ３　／Ｚ４　）の式を満足すればよい。上記実施の形態では、Ｚ２　／Ｚ１　＝１に設定しているので、（Ｚ３　／Ｚ４　）＝２、つまり内歯車３と遊星歯車７の歯車比を１対２に設定しながらも、つまり、遊星歯車７の径を大きく、且つ内歯車３の径を大きくなり過ぎないように設定しながらも、Ｘ方向作動軸１６をほぼ正方形の軌跡で旋回移動させることができる。
【００３５】
また、上述したように、駆動歯車４の回転数と遊星歯車７の公転の回転数とは同一に設定されているので、ほぼ正方形の軌跡で旋回移動されるＸ方向作動軸１６の旋回数と円形の移動軌跡で回転運動されるＹ方向作動軸１７の回転数とは同一に設定されていることになる。
【００３６】
つぎに、上記設定とした場合にＸ方向作動軸１６をほぼ正方形の移動軌跡で旋回させることができる根拠について説明する。図４（ａ）は、遊星歯車７における軸心ｃ２の内歯車３の軸心ｃ１に対するＹ方向の相対位置の変化と、自転する遊星歯車７の軸心ｃ２に対するＸ方向作動軸１６のＹ方向の相対位置の変化とを示した波形図である。遊星歯車７の軸心ｃ２のＹ方向の位置の変化はＲ１　ｓｉｎωｔで表され、Ｘ方向作動軸１６のＹ方向の位置の変化はＲ２　ｓｉｎ３ωｔで表される。なお、遊星歯車７の軸心ｃ２のＸ方向の位置の変化およびＸ方向作動軸１６のＸ方向の位置の変化は、上記Ｙ方向の波形に対し（１／２）πつまり９０°だけ位相が異なるだけであるから、その図示を敢えて省略する。
【００３７】
上記遊星歯車７の公転と自転との二つの回転運動の合成によるＸ方向作動軸１６の内歯車３の軸心ｃ１に対する相対位置の変化は、図４（ｂ）に示すように、Ｒ１　ｓｉｎωｔ＋Ｒ２　ｓｉｎ３ωｔで表される。このとき、Ｘ方向作動軸１６の移動速度は、図４（ｃ）に示すように、Ｒ１　ωｃｏｓωｔ＋３Ｒ２　ωｃｏｓ３ωｔで表される。Ｘ方向作動軸１６の加速度は、図４（ｄ）に示すように、−Ｒ１　ω２　ｓｉｎωｔ−９Ｒ２　ω２　ｓｉｎ３ωｔで表される。
【００３８】
したがって、Ｘ方向作動軸１６を遊星歯車７の軸心ｃ２に対して（１／８〜１／９）×Ｒ１　だけ偏心した部位に設けた場合には、遊星歯車７が公転運動を１回転行う過程において、図４（ｃ），（ｄ）に示すように、Ｘ方向作動軸１６のＹ方向への回転速度および加速度が共にゼロとなって、図４（ｂ）に示すように、Ｘ方向作動軸１６のＹ方向への移動がゼロとなる二つの区間Ｙ０　が生じる。
【００３９】
図５（ａ）は、Ｘ方向作動軸１６のＹ方向の移動位置の変化を示す波形図であり、図４（ｂ）の波形図と同一である。図５（ｂ）はＸ方向作動軸１６のＸ方向の移動位置の変化を示す波形図である。このＸ方向作動軸１６のＸ方向の移動位置の変化の波形図は、上述したように、Ｙ方向の波形に対し（１／２）πだけ位相が異なるものとなり、Ｘ方向作動軸１６のＹ方向への移動がゼロとなる二つの区間Ｙ０　の各間に、Ｘ方向作動軸１６のＸ方向への移動がゼロとなる区間Ｘ０　がそれぞれ生じる。このとき、Ｘ方向およびＹ方向における＋方向および−方向の最大変位値は、それぞれ（Ｒ１　−Ｒ２　）および−（Ｒ１　−Ｒ２　）となる。
【００４０】
上記（ａ），（ｂ）の各波形図を合成すると、図５（ｃ）の波形図となる。この波形図はＸ方向作動軸１６のＸ方向およびＹ方向おける位置の変化を示すものとなる。（ｃ）に示す時間ｔ１〜ｔ９はそれぞれ（ａ），（ｂ）の時間ｔ１〜ｔ９に対応しており、（ａ），（ｂ）と（ｃ）との対比から、（ｃ）の波形図となることがわかる。
【００４１】
すなわち、Ｘ方向作動軸１６のＹ方向への移動がゼロとなる二つの区間Ｙ０　中においても遊星歯車７が公転運動を継続しているので、Ｘ方向作動軸１６は、Ｙ方向における（Ｒ１　−Ｒ２　）の一定位置を保持しながらＸ方向に移動されることになり、同様に、Ｘ方向作動軸１６のＸ方向への移動がゼロとなる二つの区間Ｘ０　中においても遊星歯車７が公転運動を継続しているので、Ｘ方向作動軸１６は、Ｘ方向における（Ｒ１　−Ｒ２　）の一定位置を保持しながらＹ方向に移動されることになる。その結果、Ｘ方向作動軸１６は、（ｃ）に示すように、２（Ｒ１　−Ｒ２　）を一辺とするほぼ正方形を描く軌跡で旋回移動される。なお、実際には、偏心距離Ｒ２　を（１／８〜１／９）×Ｒ１　に設定した場合、Ｘ方向作動軸１６の移動軌跡が図２（ｃ）に示すような正確な正方形とならず、正方形に類似したほぼ正方形となるのであるが、実施の形態では、説明の便宜上、正確な正方形で図示してある。
【００４２】
上記Ｘ方向駆動部５は、内歯車３を一定速度で連続的に回転させるとともに、遊星歯車７を自転と公転との回転バランスをとりながら連続的な回転運動を行わせるだけで、Ｘ方向作動軸１６をほぼ正方形の移動軌跡で旋回させることができる。そのため、このＸ方向駆動部５では、カム機構を用いる構成とは異なり、連続的な回転運動を組み合わせた構成であるから、慣性力に伴う加振力が発生しないので、旋回速度を十分に上げることが可能となる。
【００４３】
また、上記Ｘ方向駆動部５では、遊星歯車７に噛み合う内歯車３を遊星歯車７の公転の回転方向と逆方向に回転させて、遊星歯車７の自転速度を公転速度の３倍になるように加速させていることにより、内歯車３と遊星歯車７の歯車比を２対１に設定しながらも、つまり遊星歯車７として比較的大きな径を有するものを用いて、Ｘ方向作動軸１６をほぼ正方形の軌跡で旋回移動させることを可能にしている。したがって、Ｘ方向作動軸１６は、比較的大きな径を有して十分な強度を備えた遊星歯車７に設けられるので、ノズル支持プレート１８に対しＸ方向への移動力を確実に付与することができる。
【００４４】
つぎに、上記巻線装置の作用について説明する。モータ用ステータコア２４は、図３に示すように、各コア片２７が直線的に配列された状態で、ノズル２３に対し所定の位置に設置される。なお、このステータコア２４は、スロット２８の中心線からこれに隣接するスロット２８の中心線までを単位として各コア片２７に分割された構造を有しており、各コア片２７の周方向端部は、薄肉のヒンジ部２９を介して隣接するコア片２７と折曲可能に連結されている。このステータコア２４は、ティース部３０に巻線を施してから円形に組み立てられる。
【００４５】
ステータコア２４が上記位置に配置されたならば、Ｙ方向駆動部６の二つの駆動歯車４が駆動プーリ９によって回転され始め、この駆動歯車４の回転が外歯車２を介して内歯車３に伝達されるとともに、Ｘ方向駆動部５の遊星歯車７が駆動プーリ１２によって公転運動され始める。その結果、駆動歯車４に設けられたＹ方向作動軸１７は、駆動歯車４と一体に回転されて、Ｙ方向受動用ガイド孔２１を介してノズル支持プレート１８をＹ方向のみに移動させるとともに、遊星歯車７に設けられたＸ方向作動軸１６は、遊星歯車７の公転と自転とにより上述したようにほぼ正方形の軌跡を描くように旋回移動されて、Ｘ方向受動用ガイド孔２２を介してノズル支持プレート１８をＸ方向のみに移動させる。
【００４６】
すなわち、ノズル支持プレート１８は、円形の軌跡で回転運動するＹ方向作動軸１７のＸ方向への変位をＸ方向に延びるＹ方向受動用ガイド孔２１に沿って逃がすように許容し、且つＹ方向への移動分のみをＹ方向受動用ガイド孔２１で受けてＹ方向に移動されるとともに、ほぼ正方形の軌跡で旋回移動するＸ方向作動軸１６のＹ方向への移動をＹ方向に延びるＸ方向受動用ガイド孔２２に沿って逃がすように許容し、且つＸ方向への移動分のみをＸ方向受動用ガイド孔２２で受けてＸ方向に変位される。換言すると、ノズル支持プレート１８は、Ｙ方向作動軸１７のＹ方向の最大移動量をＹ方向のストロークとし、且つＸ方向作動軸１６のＸ方向の最大移動量をＸ方向のストロークとして合成するように作用するといえる。この点について、図７および図８を参照しながら説明する。
【００４７】
図７は、Ｙ方向作動軸１７の円形の移動軌跡Ｃｙ　と、Ｘ方向作動軸１６のほぼ正方形の移動軌跡Ｃｘ　と、この両移動軌跡Ｃｙ　，Ｃｘ　を合成したノズル支持プレート１８の特定部位Ｈの移動軌跡Ｃｘｙとを示す説明図である。いま、Ｘ方向作動軸１６およびＹ方向作動軸１７が図７に図示する最下位位置にそれぞれ存在する状態を初期位置として、ノズル支持プレート１８の特定部位Ｈの移動軌跡について説明する。ノズル支持プレート１８の初期位置における特定部位Ｈは、説明の便宜上、初期位置におけるＹ方向作動軸１７の中心に設定する。初期位置においては、ノズル支持プレート１８のＸ方向受動用ガイド孔２２およびＹ方向受動用ガイド孔２１とＸ方向作動軸１６およびＹ方向作動軸１７とが、図８（ａ）に示すような相対位置関係になっている。
【００４８】
初期位置から駆動歯車４および遊星歯車７がそれぞれ９０°だけ回転および公転すると、図７において、Ｘ方向作動軸１６は、初期位置からＸ方向に沿って左方に向け（Ｒ１　−Ｒ２　）／２だけ移動したのちに、Ｙ方向に沿って上方に向け（Ｒ１　−Ｒ２　）／２だけ移動して、Ｐｘ１の位置に移動する。一方、Ｙ方向作動軸１７は、初期位置から矢印方向に回転移動してＰｙ１の位置に移動する。ここで、Ｐｘ１とＰｙ１とはＹ方向における同一位置である。したがって、ノズル支持プレート１８の特定位置Ｈは、Ｘ方向受動用ガイド孔２２がＸ方向作動軸１６に押されてＸ方向の左方に向け（Ｒ１　−Ｒ２　）／２だけ移動されるととともに、Ｙ方向受動用ガイド孔２１が回動するＹ方向作動軸１７に押されてＹ方向上方のＰｙ１に相当する位置まで押し上げられることにより、移動軌跡Ｃｘｙに沿ってＰｘ１まで移動される。このときのノズル支持プレート１８のＸ方向受動用ガイド孔２２およびＹ方向受動用ガイド孔２１とＸ方向作動軸１６およびＹ方向作動軸１７とは、図８（ｂ）に示すような相対位置関係となる。
【００４９】
駆動歯車４および遊星歯車７がそれぞれさらに９０°だけ回転および公転すると、図７において、Ｘ方向作動軸１６は、位置Ｐｘ１からＹ方向に沿って上方に向け（Ｒ１　−Ｒ２　）／２だけ移動したのちに、Ｘ方向に沿って右方に向け（Ｒ１　−Ｒ２　）／２だけ移動して、Ｐｘ２に移動する。一方、Ｙ方向作動軸１７は、位置Ｐｙ１から矢印方向に回転移動してＰｙ２に移動する。ここで、Ｐｘ２とＰｙ２とはＸ方向における同一位置である。したがって、ノズル支持プレート１８の特定位置Ｈは、回動するＹ方向作動軸１７によりＹ方向受動用ガイド孔２１が押されてＹ方向上方のＰｙ２に相当する位置まで押し上げられるとともに、Ｘ方向受動用ガイド孔２２がＸ方向作動軸１６に押されてＸ方向の右方に向け（Ｒ１　−Ｒ２　）／２だけ移動されることにより、移動軌跡Ｃｘｙに沿ってＰｘ２まで移動される。このときのノズル支持プレート１８のＸ方向受動用ガイド孔２２およびＹ方向受動用ガイド孔２１とＸ方向作動軸１６およびＹ方向作動軸１７とは、図８（ｃ）に示すような相対位置関係となる。
【００５０】
駆動歯車４および遊星歯車７がそれぞれさらに９０°だけ回転および公転すると、図７において、Ｘ方向作動軸１６は、位置Ｐｘ２からＸ方向に沿って右方に向け（Ｒ１　−Ｒ２　）／２だけ移動したのちに、Ｙ方向に沿って下方に向け（Ｒ１　−Ｒ２　）／２だけ移動して、Ｐｘ３に移動する。一方、Ｙ方向作動軸１７は、位置Ｐｙ２から矢印方向に回転移動してＰｙ３に移動する。ここで、Ｐｘ３とＰｙ３とはＹ方向における同一位置である。したがって、ノズル支持プレート１８の特定位置Ｈは、回動するＹ方向作動軸１７によりＹ方向受動用ガイド孔２１が押されてＹ方向下方のＰｙ３に相当する位置まで押し下げられるとともに、Ｘ方向受動用ガイド孔２２がＸ方向作動軸１６に押されてＸ方向の右方に向け（Ｒ１　−Ｒ２　）／２だけ移動されることにより、移動軌跡Ｃｘｙに沿ってＰｘ３まで移動される。このときのノズル支持プレート１８のＸ方向受動用ガイド孔２２およびＹ方向受動用ガイド孔２１とＸ方向作動軸１６およびＹ方向作動軸１７とは、図８（ｄ）に示すような相対位置関係となる。
【００５１】
駆動歯車４および遊星歯車７がそれぞれさらに９０°だけ回転および公転すると、Ｘ方向作動軸１６およびＹ方向作動軸１７が共に初期位置に戻るので、ノズル支持プレート１８の特定位置Ｈは、回動するＹ方向作動軸１７によりＹ方向受動用ガイド孔２１が押されてＹ方向下方の初期位置に相当する位置まで押し下げられるとともに、Ｘ方向受動用ガイド孔２２がＸ方向作動軸１６に押されてＸ方向の左方に向け（Ｒ１　−Ｒ２　）／２だけ移動されることにより、移動軌跡Ｃｘｙに沿って初期位置まで移動される。このときのノズル支持プレート１８のＸ方向受動用ガイド孔２２およびＹ方向受動用ガイド孔２１とＸ方向作動軸１６およびＹ方向作動軸１７とは、図８（ａ）に示すような相対位置関係となる。
【００５２】
したがって、ノズル支持プレート１８は、図７に示すように、ティース部３０の断面形状である長方形の短辺よりも大きな所定間隔の平行線の両端部がほぼ半円形の曲線で接続されたほぼ長方形状の移動軌跡Ｃｘｙで連続的に旋回移動するように作動制御される。上記移動軌跡ＣｘｙのＸ方向のストロークは、内歯車３の軸心ｃ１と遊星歯車７の軸心ｃ２との間隔Ｒ１　およびＸ方向作動軸１６の遊星歯車７の軸心ｃ２に対する偏心距離Ｒ２　とに基づき任意の値に設定でき、Ｙ方向のストロークは、駆動歯車４の軸心とＹ方向作動軸１７との間隔に基づいて任意の値に設定できる。上記巻線装置では、Ｘ方向のストロークおよびＹ方向のストロークは、図７に２点鎖線で示したステータコア２４のティース部３０の断面形状に対応する所定値にそれぞれ設定される。これにより、上記巻線装置では、図３のＧ−Ｇ線断面図を示す図６から明らかなように、ノズル支持プレート１８に所定の等間隔で取り付けられた３個のノズル２３からそれぞれ導線を繰り出して、３個のティース部３０に対して同時に巻線を施すことができる。
【００５３】
各ノズル２３は、従来の楕円形の移動軌跡で旋回されるものとは異なり、ティース部３０の断面形状に対応したほぼ長方形の移動軌跡で旋回されるので、常にティース部３０に対し可及的に一定の距離を保ちながら移動されるから、巻線の途中で導線が弛むことなくティース部３０に巻き付けられて、導線をティース部３０に整列させて平均的に巻き付け易いことから、導線の整列性を確保することができる。また、ノズル２３はＹ方向（上下方向）に沿って直線的に昇降移動するので、隣接するティース部３０またはティース部３０に既に巻き付けられたコイルにノズル２３が干渉することが防止される。これにより、スロット２８内のコイル占有率を一層高めるように巻線することができる。
【００５４】
また、上記巻線装置の最も大きな特徴は、遊星歯車７を自転と公転との回転バランスをとりながら連続的な回転運動を行わせるだけでＸ方向作動軸１６をほぼ正方形の軌跡で旋回移動させることができるＸ方向駆動部５と、Ｙ方向作動軸１７が設けられて一定速度で連続的に回転する駆動歯車４を備えたＹ方向駆動部６とを組み合わせて、Ｘ方向作動軸１６およびＹ方向作動軸１７をそれぞれノズル支持プレート１８のＸ方向受動用ガイド孔２２およびＹ方向受動用ガイド孔２１に挿通させてノズル支持プレート１８をほぼ長方形の軌跡で旋回移動させる極めて簡素化された構成になっており、回転運動のみの組み合わせであることから、カム機構を用いた従来の巻線装置のような慣性力に伴う加振力が生じることがない。また、ノズル支持プレート１８は、Ｘ方向作動軸１６およびＹ方向作動軸１７の移動を合成するだけであるから、軽量なものとなる。
【００５５】
しかも、従来の巻線装置のようにＹ方向のガイド構造に関連付けてＸ方向のガイド構造を設けるものとは異なり、ノズル支持プレート１８は、Ｘ方向作動軸１６およびＹ方向作動軸１７から動力伝達を受けられるように任意の方向に移動可能な状態に単に保持すればよいだけであるから、保持体１９，２０によるノズル支持プレート１８の保持力は、ノズル支持プレート１８が旋回移動する際の抵抗負荷として殆ど作用しない。
【００５６】
また、上記巻線装置は、Ｙ方向に直線的に移動したのちに、ほぼ半円形の曲線を描く軌跡でＵターンしてＹ方向に対する移動方向を逆に変換するように旋回移動されるから、例えば、正確な長方形の軌跡で旋回移動する場合に比較して円滑にＵターンしながら上下方向の移動方向を変換することができ、この点からも旋回速度を一層高めることができる。
【００５７】
なお、上記実施の形態の変形例としては、上記Ｙ方向駆動部６に代えて、Ｘ方向駆動部５の移動軌跡であるほぼ長方形よりも大きな長方形の軌跡、つまりＹ方向のストロークに対応する一辺を有する長方形の軌跡でＹ方向作動軸を旋回移動させるＹ方向駆動部を設けて、ノズル２３を正確な長方形の軌跡で旋回移動させる構成とすることもできる。但し、この構成の場合には、Ｙ方向に直線的に移動したのち、ほぼ直交方向に向きを変えて移動することから、上記実施の形態のようにほぼ半円形の曲線を描く軌跡でＵターンする場合に比較して、移動の際の円滑性が若干劣る。
【００５８】
さらに、図７および図８の説明から明らかなように、各一対のＸ方向作動軸１６およびＹ方向作動軸１７は、それぞれノズル支持プレート１８における対角線上に配置されているとともに、ほぼ正方形の軌跡で旋回移動するＸ方向作動軸１６は、Ｙ方向作動軸１７の上下方向の移動に追従して上下方向に移動しながら、Ｘ方向への移動の際にノズル支持プレート１８を押圧して移動させるようになっている。すなわち、Ｘ方向作動軸１６のＹ方向に沿った上下動は、Ｙ方向作動軸１７によるノズル支持プレート１８の重心位置のＹ方向への変位を恰も補正するように機能している。換言すると、Ｘ方向作動軸１６からノズル支持プレート１８へ負荷として作用する荷重点は、Ｙ方向作動軸１７によってノズル支持プレート１８が上下動されることによって変位するノズル支持プレート１８の重心位置に近づくようになっている。これにより、ノズル支持プレート１８は、強度面で有利となり、一層の軽量化を図ることができる。
【００５９】
上述したように、被作動体としてのノズル支持プレート１８は、極めて軽量化することができるとともに、回転運動の組み合わせのみで作動されることから、加振力が生じないので、ほぼ長方形の軌跡による旋回運動の移動速度（旋回速度）を格段に高めることができる。因みに、実測値を示すと、Ｘ方向およびＹ方向の各ストロークをそれぞれ２４ｍｍおよび８０ｍｍに設定した場合、従来の巻線装置では旋回速度が９００ｒｐｍ〜１２００ｒｐｍであったのが、上記実施の形態の巻線装置では、旋回速度を３０００ｒｐｍ程度にまで上げられることが確認できた。
【００６０】
また、上記巻線装置では、Ｙ方向駆動部６の構成要素である駆動歯車４を、Ｘ方向駆動部５における外歯車２および内歯車３を備えた歯車体１の駆動源として利用している。これにより、この巻線装置では、構成を一層簡素化できるのに加えて、駆動歯車４と歯車体１とを正確に連動させることができるとともに、Ｙ方向作動軸１７とＸ方向作動軸１６との相対位置の位置決め設定が容易となる利点がある。なお、上述の駆動歯車４と歯車体１とをギャ連結構造で連動させる構成に代えて、一対の歯車体１および一対の駆動歯車４に対してベルト連結構造を介し単一の回転駆動源の回転力を伝達するような構成としてもよい。
【００６１】
図９は本発明の第２の実施の形態に係る巻線装置の要部を示したもので、（ａ）は正面図、（ｂ）は（ａ）のＡ−Ａ線断面図であり、同図において、図１および図２と同一若しくは同等のものには同一の符号を付してある。この実施の形態では、上記第１の実施の形態のＹ方向駆動部６の構成を若干変更するだけで、他の構成は第１の実施の形態とほぼ同様である。すなわち、この実施の形態では、Ｙ方向駆動部６におけるＹ方向作動軸１７の軸心ｃ３に対する間隔つまりＹ方向作動軸１７の回転半径を極めて容易に変更して、ノズル支持プレート１８の移動軌跡であるほぼ長方形の長辺側つまりＹ方向ストロークをスムーズに調整可能とすることを目的としたものである。
【００６２】
上記Ｙ方向駆動部６は、前面側に駆動歯車４を、且つ後面側に駆動プーリ９をそれぞれ有して軸受３３を介し固定部材３４に回転自在に支持された主回転体３１の中心部分に、副回転体３２が回転可能に挿通されている。主回転体３１の前面側の回転円板部３７には、中心部を通って径方向に貫通するガイド溝３８が形成され、且つガイド溝３８の底部両側には、それらの外方側に沿って抜け止め溝部３９が連通形成されている。ガイド溝３８には、抜け止め溝部３９に摺動自在に嵌合するガイドレール部４１を下面両側にそれぞれ有する調整ブロック体４０が摺動自在に嵌め入れられており、この調整ブロック体４０に、ノズル支持プレート１８のＹ方向受動用ガイド孔２１に嵌合するＹ方向作動軸１７が植設されている。したがって、調整ブロック体４０をガイド溝３８に沿ってＢ矢印方向に摺動させれば、調整ブロック体４０に設けられたＹ方向作動軸１７の回転半径Ｒ３　は所定範囲Ｃ内で可変される。
【００６３】
調整ブロック体４０には、ガイドピン４２が後方側に突出する配置で固設されている。一方、副回転体３２の前面側に設けられた回転円板部４３には、（ａ）に示すような弧状の調整溝４４が形成され、この調整溝４４に、調整ブロック体４０の後方に突出したガイドピン４２が摺接自在に嵌合している。したがって、副回転体３２を固定状態として主回転体３１を回転させれば、ガイドピン４２が主回転体３１の回転に伴い調整溝４４に沿いながら変位することにより、調整ブロック体４０がガイド溝３８に沿いながら移動して、Ｙ方向作動軸１７の回転体３１，３２の中心に対する相対位置つまり自体の回転半径が可変される。副回転体３２は、固定ピン４７を挿入されることよって筐体部４８に回転不能に固定され、主回転体３１は、固定ボルト４９を緩めて副回転体３２との間に隙間５０を形成することにより、固定状態の副回転体３２回りに回転可能状態となる。
【００６４】
つぎに、上記構成としたＹ方向駆動部６におけるＹ方向作動軸１７の回転半径の可変調整について説明する。モータ用ステータコア２４では、積厚が変わった場合、ティース部３０の長方形の断面形状における幅寸法が一定で、且つ長手方向の寸法が積厚に対応して変化するのが一般的である。したがって、モータの巻線工程において製造ロットが変わった場合には、巻線装置におけるＹ方向駆動部６のＹ方向作動軸１７の回転半径をティース部３０の長手方向の寸法に応じて可変して、ノズル２３のＹ方向ストロークを調整する必要がある。
【００６５】
上記実施の形態の巻線装置では、製造ロットが変わった場合に、固定ピン４７を挿入して副回転体３２を筐体部４８に固定して回転不能状態に設定するとともに、固定ボルト４９を緩めることにより副回転体３２を主回転体３１から離間方向に変位させて、両回転体３１，３２間に隙間５０を形成して主回転体３１を固定状態の副回転体３２回りに回転可能状態とする。
【００６６】
つぎに、Ｙ方向駆動部６の回転駆動源である、例えばサーボモータ（図示せず）を設定角度だけ回転制御すると、このサーボモータの回転がベルト８および駆動プーリ９を介して主回転体３１に伝達される。この回転される主回転体３１のガイド溝３８に摺動自在に嵌合されている調整ブロック体４０は、ガイドピン４２が主回転体３１の回転に伴い調整溝４４に沿って摺動することにより、ガイド溝３８に沿ってＢ矢印方向に摺動される。これにより、調整ブロック体４０に固設されているＹ方向作動軸１７は、両回転体３１，３２の各々の回転円板部３７，４３の中心に対する相対位置つまり回動半径を設定値に可変調整される。このとき、Ｙ方向作動軸１７はＹ方向受動用ガイド孔２１内を摺動するだけであって、ノズル支持プレート１８は固定状態であるから、Ｙ方向作動軸１７のＸ方向作動軸１６に対する相対位置関係は変わらない。
【００６７】
上述のようにして主回転体３１が設定角度だけ回転され終えたならば、固定ボルト４９を締め付けて副回転体３２を主回転体３１に対し隙間５０の無い状態に押し付けることにより、両回転体３１，３２を一体回転可能な状態に復帰させ、そののちに、固定ピン４７を抜脱すれば、Ｙ方向作動軸１７の回転半径の可変調整が終了する。
【００６８】
この実施の形態の巻線装置では、例えば、一直線上に配設した複数のねじ孔の何れかに択一的に螺合する手段でＹ方向作動軸の位置を変更する構成などに比較して、サーボモータを設定した回転角度だけ回転させてＹ方向作動軸１７の回転半径の可変を無段階に調整することができ、Ｙ方向ストロークを、製造すべきステータコア２４のティース部３０の断面形状に正確に対応した適正値に設定することができる。しかも、Ｙ方向作動軸１７の位置変更は、サーボモータに所望の回転角度を設定するだけでよいので、容易、且つ迅速に行うことができる。また、Ｙ方向作動軸１７の位置変更は、Ｙ方向駆動部６の回転駆動源としてのサーボモータを利用して行うので、専用の駆動源を別途必要としない。
【００６９】
図１０は本発明の第３の実施の形態に係る巻線装置を示す一部除外した概略正面図であり、同図において、図１と同一若しくは同等のものには同一の符号を付して、重複する説明を省略する。この巻線装置では、第１の実施の形態と同様の長方形のノズル支持プレート１８に、第１の実施の形態と同形状の一対のＹ方向受動用ガイド孔２１が上部の左右両側の角部付近に形成されているとともに、第１の実施の形態と同形状の一つのＸ方向受動用ガイド孔２２が、上記ノズル支持プレート１８の中央部下方寄りの箇所に形成されている。
【００７０】
Ｘ方向受動用ガイド孔２２には、第１の実施の形態と同様に、外歯車２と内歯車３とを有する歯車体１と内歯車３に噛み合った遊星歯車７とを有するＸ方向駆動部５に設けられたＸ方向作動軸１６が摺接自在に挿通されている。歯車体１が外歯車２に噛み合った駆動歯車４によって回転駆動されるのは第１の実施の形態と同様であるが、駆動歯車４は、このＸ方向駆動部５の専用の回転駆動源として設けられており、第１の実施の形態のようなＹ方向作動軸１７が設けられていない。
【００７１】
また、一対のＹ方向受動用ガイド孔２１には、それぞれ回転体５１の周端近傍箇所に設けられたＹ方向作動軸１７が摺接自在に挿通されている。したがって、左右一対のＹ方向駆動部６は、回転体５１と、Ｘ方向駆動部５の駆動歯車４と連動して主回転体３１を回転駆動する回転駆動源（図示せず）とによって構成されている。
【００７２】
この実施の形態では、Ｘ方向駆動部５を単一設けるだけであるが、ノズル支持プレート１８は一対のＹ方向作動軸１７と一つのＸ方向作動軸１６により移動方向を規制されて、第１の実施の形態と全く同様のほぼ長方形の軌跡で旋回移動される。但し、Ｘ方向作動軸１６およびＸ方向駆動部５にそれぞれ加わる負荷は、第１の実施の形態に比較して若干大きくなるので、その分だけノズル支持プレート１８の旋回速度が低下するが、構成を大幅に簡素化できる利点がある。なお、この実施の形態とは逆に、Ｘ方向駆動部５を左右一対設けるとともに、一つのＹ方向駆動部６を設ける構成としても、ノズル支持プレート１８を同様にほぼ長方形の軌跡で旋回移動させることができるのは言うまでもない。
【００７３】
なお、上記各実施の形態では、モータのコイルを形成するための巻線装置を例示して説明したが、本発明は、モータ用に限らず、線材を巻回する殆どの用途に適用することができる。
【００７４】
【発明の効果】
以上のように本発明の巻線装置によれば、ノズル支持プレートを、Ｘ方向作動軸およびＹ方向作動軸によって動力伝達を受けられるように任意の方向に移動可能な状態に単に保持すればよいだけであるから、従来の巻線装置のようにＹ方向のガイド構造に関連付けてＸ方向のガイド構造を設けるものとは異なり、重量の極めて軽いガイド構造とすることができる。また、Ｘ方向駆動部およびＹ方向駆動部は、Ｘ方向作動軸およびＹ方向作動軸を各々の対応する方向に所定の距離だけ移動させるように作動制御すればよいから、例えば、単なる回転運動を連続的に行う構成を組み合わせた簡素化した構造とすることができ、従来の巻線装置のようなカム機構を用いて直線往復運動が存在する構成とは異なり、慣性力に伴う加振力が発生しない。そのため、この巻線装置では、ノズルをほぼ長方形の移動軌跡で旋回させるときの旋回速度を十分に上げることが可能となる。
【図面の簡単な説明】
【図１】本発明の第１の実施の形態に係る巻線装置を示す一部除外した概略正面図。
【図２】図１のＥ−Ｅ線断面図。
【図３】図１のＦ−Ｆ線断面図。
【図４】（ａ）は同上の巻線装置のＸ方向駆動部の内歯車の軸心回りに公転する遊星歯車における軸心の内歯車の軸心に対するＹ方向の相対位置の変化と、自転する遊星歯車の軸心に対するＸ方向作動軸のＹ方向の相対位置の変化とを示した波形図、（ｂ）はＸ方向作動軸のＹ方向の移動の変化を示す波形図、（ｃ）はＸ方向作動軸のＹ方向への移動速度を示す波形図、（ｄ）はＸ方向作動軸のＹ方向への加速度の変化を示す波形図。
【図５】（ａ）はＸ方向作動軸のＹ方向の移動位置の変化を示す波形図、（ｂ）はＸ方向作動軸のＸ方向の移動位置の変化を示す波形図、（ｃ）はＸ方向作動軸およびＹ方向作動軸における移動位置を示す波形部。
【図６】図３のＧ−Ｇ線断面図。
【図７】同上の巻線装置におけるＹ方向作動軸の移動軌跡とＸ方向作動軸の移動軌跡とこの両移動軌跡を合成したノズル支持プレートの移動軌跡とを示す説明図。
【図８】（ａ）〜（ｄ）は同上の巻線装置におけルノズル支持プレートが１回の旋回を行う過程を順に示した概略正面図。
【図９】本発明の第２の実施の形態に係る巻線装置の要部を示す正面図および（ａ）のＡ−Ａ線断面図。
【図１０】本発明の第３の実施の形態に係る巻線装置を示す概略正面図。
【符号の説明】
１　歯車体（回転体）
３　内歯車
４　駆動歯車（回転体）
５　Ｘ方向駆動部
６　Ｙ方向駆動部
７　遊星歯車
１６　Ｘ方向作動軸
１７　Ｙ方向作動軸
１８　ノズル支持プレート
１９，２０　保持体
２１　Ｙ方向受動用ガイド孔
２２　Ｘ方向受動用ガイド孔
２３　ノズル
３１　主回転体
３２　副回転体
３８　ガイド溝
４０　調整ブロック体
４２　ガイドピン
４４　調整溝
４７　固定ピン（固定部材）
４９　固定ボルト（係脱部材）
【図１】
2004072923.tif 000003
【図２】
2004072923.tif 000004
【図３】
2004072923.tif 000005
【図４】
2004072923.tif 000006
【図５】
2004072923.tif 000007
【図６】
2004072923.tif 000008
【図７】
2004072923.tif 000009
【図８】
2004072923.tif 000010
【図９】
2004072923.tif 000011
【図１０】
2004072923.tif 000012